(57)【要約】【課題】色変換部材を発光素子に対して簡単に着脱できるようにすることを目的とする。【解決手段】装置本体２１０の取付枠２１１ａ・ｂに発光素子２０１を配置した基板２０２を取り付ける。基板２０２と対向する部分には反射部２０３があり、色変換部材２０５で反射部２０３の出射口を覆う。色変換部材２０５にはレバー２０８が取り付けてあり、色変換部材２０５はレバー２０８と連動する。レバー２０８を収納枠２１２側へスライドさせると、色変換部材２０５は収納枠２１２内に移動し、ガイドリブ２１４に沿って収納枠２１２内に収納される。レバー２０８を補助枠２１３側へスライドさせれば、再び、色変換部材２０５で反射部２０３の出射口を覆うことができる。【選択図】図６
2012049396.tif 000002
【特許請求の範囲】
【請求項１】
発光素子がおもて面に取り付けられる素子基板と、
前記素子基板のおもて面側に設けられる筒状の反射部であって、発光素子が発する光を入射する入射口と、前記入射口から入射した光を反射する反射面と、前記反射面で反射した光を出射する出射口とを有する反射部と、
前記反射部の前記出射口を覆う第１の配置位置と前記反射部の前記出射口から外れた第２の配置位置とを移動する板状の色変換部材であって、前記第１の配置位置に移動した場合に前記反射部の前記出射口から出射した出射光を透過して出射光の色を変化させる色変換部材と、
前記第２の配置位置に設けられ、前記色変換部材が前記第２の配置位置に移動した場合に前記色変換部材を収納する収納部と
を備えることを特徴とする発光装置。
【請求項２】
発光素子がおもて面に取り付けられる素子基板と、
前記素子基板のおもて面側に設けられる筒状の反射部であって、発光素子が発する光を入射する入射口と、前記入射口から入射した光を反射する反射面と、前記反射面で反射した光を出射する出射口とを有する反射部と、
前記反射部の前記入射口を覆う第１の配置位置と前記反射部の前記入射口から外れた第２の配置位置とを移動する板状の色変換部材であって、前記第１の配置位置に移動した場合に前記反射部の前記入射口から入射した入射光を透過して入射光の色を変化させる色変換部材と、
前記第２の配置位置に設けられ、前記色変換部材が前記第２の配置位置に移動した場合に前記色変換部材を収納する収納部と
を備えることを特徴とする発光装置。
【請求項３】
前記収納部は、前記色変換部材が出入りする出入口と、前記出入口を出入りする色変換部材の移動を補助する円弧状のガイド部とを有し、
前記色変換部材は、前記第２の配置位置に移動する場合に前記収納部の前記出入口から前記ガイド部に進入し、前記ガイド部に沿って円弧状に曲がって前記収納部に収納される
ことを特徴とする請求項１または請求項２記載の発光装置。
【請求項４】
前記発光装置は、さらに、前記色変換部材と連結したレバーであって前記色変換部材を移動する操作に使用されるレバーを備え、
前記色変換部材は、前記レバーの操作と連動して移動する
ことを特徴とする請求項１から請求項３いずれかに記載の発光装置。
【請求項５】
前記発光装置は、
前記色変換部材として第１の色変換部材を備え、前記収納部として第１の収納部を備え、前記レバーとして第１のレバーを備え、
前記発光装置は、さらに、
前記第１の配置位置と、前記第２の配置位置に対して前記反射部を挟んだ反対側の第３の配置位置とを移動する第２の色変換部材と、
前記第３の配置位置に設けられ、前記第２の色変換部材が前記第３の配置位置に移動した場合に前記第２の色変換部材を収納する第２の収納部と、
前記第２の色変換部材と連結した第２のレバーとを備える
ことを特徴とする請求項４記載の発光装置。
【請求項６】
請求項１から請求項５いずれかに記載の発光装置と、
前記発光装置を取り付ける器具本体と
を備えることを特徴とする照明器具。
【発明の詳細な説明】
【技術分野】
【０００１】
本発明は、例えば、発光ダイオードを点灯する発光装置および照明器具に関するものである。
【背景技術】
【０００２】
板状の波長変換部材を固定して用いる発光装置（例えば、特許文献１）や二種類の蛍光体膜を配置した円板体が回転して発光色を変える照明器具（例えば、特許文献２）に関する技術がある。
【先行技術文献】
【特許文献】
【０００３】
【特許文献１】特開２００７−１８００６６号公報（段落［００１２］〜段落［００２４］、図１）
【特許文献２】特開２００９−２３１２２７号公報（段落［０００６］〜段落［００１０］、図１）
【発明の概要】
【発明が解決しようとする課題】
【０００４】
特許文献１に開示された発光装置では、色変換部材（波長変換部材）が特殊な構造で固定される。
このため、色変換が不要な場合や別色に色変換したい場合、色変換部材の取り外しや組み立てをできるように照明器具を改造する必要がある。
また、多数の照明器具が存在する場所では色変換部材の取り外しや組み立てにすぐには対応できず、業者へ依頼する必要があるため作業コストや工事期間がかかる。
【０００５】
特許文献２に開示された照明器具では、色変換部材（蛍光体膜）を移動させるために必要なスペースが大きい。
このため、照明器具自体が大きくなってしまう。
【０００６】
本発明は、例えば、色変換部材を必要に応じて簡単に着脱できるようにすることを目的とする。
【課題を解決するための手段】
【０００７】
本発明の発光装置は、発光素子がおもて面に取り付けられる素子基板と、前記素子基板のおもて面側に設けられる筒状の反射部であって、発光素子が発する光を入射する入射口と、前記入射口から入射した光を反射する反射面と、前記反射面で反射した光を出射する出射口とを有する反射部と、前記反射部の前記出射口を覆う第１の配置位置と前記反射部の前記出射口から外れた第２の配置位置とを移動する板状の色変換部材であって、前記第１の配置位置に移動した場合に前記反射部の前記出射口から出射した出射光を透過して出射光の色を変化させる色変換部材と、前記第２の配置位置に設けられ、前記色変換部材が前記第２の配置位置に移動した場合に前記色変換部材を収納する収納部とを備える。
【発明の効果】
【０００８】
本発明によれば、例えば、色変換部材を発光素子に対して簡単に着脱することができる。
【図面の簡単な説明】
【０００９】
【図１】実施の形態１における照明器具１００の斜視図。
【図２】実施の形態１における照明器具１００の短手方向の断面図。
【図３】実施の形態１における発光装置２００の正面図。
【図４】実施の形態１における発光装置２００の長手方向の断面図。
【図５】実施の形態１における発光装置２００の端部を示した斜視図。
【図６】実施の形態１における発光装置２００の短手方向の断面図。
【図７】実施の形態１における発光装置２００の短手方向の断面図。
【図８】実施の形態２（応用例１）における発光装置２００の端部を示した斜視図。
【図９】実施の形態２（応用例１）における発光装置２００の端部を示した断面図。
【図１０】実施の形態２（応用例２）における発光装置２００の正面図。
【図１１】実施の形態２（応用例２）における発光装置２００の短手方向の断面図。
【図１２】実施の形態２（応用例３）における発光装置２００の短手方向の断面図。
【発明を実施するための形態】
【００１０】
実施の形態１．
図１は、実施の形態１における照明器具１００の斜視図である。
図２は、実施の形態１における照明器具１００の短手方向の断面図である。
実施の形態１における照明器具１００について、図１および図２に基づいて説明する。
【００１１】
照明器具１００は、発光ダイオードなどの発光素子を点灯させる発光装置２００、発光装置２００を覆って保護する本体カバー１２０、発光装置２００を固定する器具本体１１０、本体カバー１２０を器具本体１１０に固定する取付具１３０を備える。
器具本体１１０の中には、発光装置２００に電力を供給する電源装置（図示省略）が備わる。電源装置は、商用電源から交流電圧・電流を入力し、入力した交流電圧・電流を直流電圧・電流に整流し、整流して得られた直流電圧・電流を降圧して発光装置２００に出力する。
【００１２】
図３は、実施の形態１における発光装置２００の正面図である。
図４は、実施の形態１における発光装置２００の長手方向の断面図である。色変換部材２０５との区別をつけるため、装置本体２１０などの断面を表す斜線を省略する（以下の断面図において同様）。
図５は、実施の形態１における発光装置２００の端部を示した斜視図である。
実施の形態１における発光装置２００の概要について、図３から図５に基づいて説明する。
【００１３】
図３、図４に示すように、発光装置２００は細長い棒状の装置本体２１０を備え、装置本体２１０には細長い基板２０２が取り付けられ、基板２０２には複数の発光素子２０１（例えば、発光ダイオード）が長手方向に一列に配置されている。但し、複数の発光素子２０１は複数列に並べて配置しても構わない。
また、発光素子２０１毎に反射面２０７が設けられ、各反射面２０７の開口部は細長い長方形の色変換部材２０５によって覆われる。
【００１４】
図５に示すように、装置本体２１０の長手方向の一方の端部にはスライド溝２０９が設けられ、スライド溝２０９には色変換部材２０５に連結されたレバー２０８が取り付けられている。
レバー２０８をスライド溝２０９に沿って装置本体２１０の短手方向（図５の矢印の方向）にスライドさせることにより、反射面２０７の開口部を色変換部材２０５で開閉することができる。つまり、レバー２０８をスライド操作することにより、色変換部材２０５を発光素子２０１および反射面２０７に対して着脱することができる。
【００１５】
図６、図７は、実施の形態１における発光装置２００の短手方向の断面図である。
実施の形態１における発光装置２００の内部構造について、図６、図７に基づいて説明する。
【００１６】
図６において、発光装置２００の装置本体２１０は、基板２０２を取り付ける取付枠２１１ａ・ｂと色変換部材２０５を収納する収納枠２１２とを有する。
また、装置本体２１０は、発光素子２０１から発した光を反射する反射部２０３を有する。
取付枠２１１と収納枠２１２と反射部２０３と後述する補助枠２１３とは、一体となって装置本体２１０を構成する。
【００１７】
取付枠２１１内には基板２０２が取り付けられ、取付枠２１１の短手方向の片側には収納枠２１２が設けられ、取付枠２１１の短手方向の逆側には補助枠２１３が設けられている。
以下、取付枠２１１の収納枠２１２側を構成する部分を「取付枠２１１ａ」とし、取付枠２１１の補助枠２１３側を構成する部分を「取付枠２１１ｂ」とする。
【００１８】
取付枠２１１ａ・ｂは基板２０２の短手方向の両側に位置し、基板２０２を短手方向の両側から挟み込む。
基板２０２の短手方向の中央部には発光素子２０１が取り付けられている。以下、発光素子２０１が取り付けられている側の面を基板２０２のおもて面とする。
【００１９】
反射部２０３は基板２０２のおもて面側に設けられ、基板２０２に取り付けられた発光素子２０１と正対する部分に錐形で筒状の反射面２０７を有する。反射面２０７の断面形状は四角形（図５参照）、円形、三角形またはその他の形状のいずれであっても構わない。
【００２０】
反射面２０７は、発光素子２０１側の開口部（入射口）から発光素子２０１の光を入射し、入射した光を側面（反射面）で反射し、入射した光および反射した光を反対側の開口部（出射口）から出射する。
反射面２０７の発光素子２０１側の端部は、基板２０２および発光素子２０１に対して接触しない程度に近接する。
【００２１】
装置本体２１０はカバー２０４を保持するカバー押えツメ部２０６を備え、装置本体２１０には反射部２０３の出射口を覆って発光装置２００を保護する透明なカバー２０４が取り付けられる。
カバー押えツメ部２０６は、装置本体２１０の短手方向の中央側に出っ張った凸部であり、カバー２０４が外れ落ちることを防ぐ。
【００２２】
発光装置２００は、レバー２０８と、レバー２０８に連結したシート状（板状）の色変換部材２０５とを備える。
色変換部材２０５は、カバー２０４と反射部２０３との間に配置される。
【００２３】
色変換部材２０５はプラスチック樹脂で成形され、プラスチック樹脂には光の波長を変化させる色変換材料が混入されている。色変換部材２０５は光を透過し、光の波長を変えて光の色を特定の色に変化させる。発光素子２０１から発した光は色変換部材２０５により色を変化させて発光装置２００から照射される。
また、色変換部材２０５は、円弧状に湾曲（または屈曲）する柔軟性（または弾性）を有する。
【００２４】
収納枠２１２は断面Ｌ字状の部材であり、Ｌ字状の一端で取付枠２１１ａと結合し、取付枠２１１ａとの間に色変換部材２０５を収納する収納スペースを設ける。
収納枠２１２には、収納スペースへの色変換部材２０５の移動を補助する断面円弧状のガイドリブ２１４が取り付けられている。
【００２５】
取付枠２１１ａは、反射部２０３に結合する部分と、基板２０２に接する部分との二箇所にスリット状の開口部（細い隙間）を有する。
取付枠２１１ａの２つの開口部は、色変換部材２０５が収納枠２１２内に出入りするための出入口である。
【００２６】
図７（１）に示すようにレバー２０８を収納枠２１２側へスライドさせると、色変換部材２０５は、反射部２０３側の開口部から収納枠２１２と取付枠２１１ａが構成する収納スペースに進入する。そして、色変換部材２０５は、ガイドリブ２１４に沿って円弧状に曲がって収納枠２１２内の収納スペースに収納される（第２の配置位置）。但し、色変換部材２０５の部分うちガイドリブ２１４に収まらない先端部分は、基板２０２側の開口部から反射面２０７と取付枠２１１ａとが構成する収納スペースに進入する。
色変換部材２０５が反射面２０７を覆わないため、発光素子２０１から発した光は色変換されない。
【００２７】
図７（２）に示すようにレバー２０８を補助枠２１３側へスライドさせると、色変換部材２０５は、基板２０２側の開口部および反射部２０３側の開口部から退出し、反射面２０７を覆う（第１の配置位置）。
これにより、発光素子２０１から発した光の色は色変換部材２０５の特性に応じた色に変化する。
【００２８】
本発明によれば、簡単なレバー操作により、色変換部材２０５を発光素子２０１および反射面２０７に着脱（反射面２０７を覆う／覆わない）することができる。つまり、色変換部材２０５の着脱を業者に頼む必要が無く、コストおよび時間をかけずに色変換部材２０５を着脱することができる。
また、装置本体２１０の外枠（収納枠２１２）と内枠（取付枠２１１ａ）との間に生じる空きスペースに色変換部材２０５を内蔵させるため、発光装置２００および照明器具１００を小型にすることができる。
【００２９】
実施の形態２．
実施の形態１の応用例について以下に説明する。以下に説明する応用例も実施の形態１と同様の効果を奏する。以下、実施の形態１と異なる事項について主に説明する。
【００３０】
＜応用例１＞
図８は、実施の形態２（応用例１）における発光装置２００の端部を示した斜視図である。
図９は、実施の形態２（応用例１）における発光装置２００の端部を示した断面図である。
図８に示すように、装置本体２１０の長手方向（図８の矢印の方向）にレバー２０８をスライドさせてもよい。レバー２０８は色変換部材２０５と連結していて、色変換部材２０５はレバー２０８の移動（スライド）に連動する。
【００３１】
図９において、装置本体２１０には発光装置２００の底部を構成する底板２１５と基板２０２を保持する保持板２１６とを取り付け、底板２１５と保持板２１６との間には色変換部材２０５を収納するための隙間を設けている。また、発光装置２００の端部には、色変換部材２０５を底板２１５と保持板２１６との隙間に誘導するためのガイドリブ２１４を設けている。
色変換部材２０５は、レバー操作（図８参照）によりガイドリブ２１４に沿って移動し、底板２１５と保持板２１６との隙間に収まる。
【００３２】
＜応用例２＞
図１０は、実施の形態２（応用例２）における発光装置２００の正面図である。
図１１は、実施の形態２（応用例２）における発光装置２００の短手方向の断面図である。
図１１に示すように、色変換部材２０５を２つ備えてもよい。
【００３３】
図１０において、発光装置２００は、長手方向の両端部にレバー２０８ａ・ｂを備える。
図１１において、レバー２０８ａには第１の色変換特性（例えば、光の色を赤色に変化させる特性）を有する色変換部材２０５ａを取り付け、レバー２０８ｂには第２の色変換特性（例えば、光の色を緑色に変化させる特性）を有する色変換部材２０５ｂを取り付けている。
装置本体２１０には、短手方向の一方に色変換部材２０５ａの収納スペースを設け、短手方向の他方に色変換部材２０５ｂの収納スペースを設け、各収納スペースにガイドリブ２１４を備えている。
また、色変換部材２０５ａ（または色変換部材２０５ｂ）で反射面２０７の出射口を覆ったときに色変換部材２０５ａと色変換部材２０５ｂとが衝突しないように、反射部２０３に段差を設けている。図１１では、反射部２０３は、収納枠２１２ａ側より収納枠２１２ｂ側の方が低い。
【００３４】
レバー２０８ａを収納枠２１２ａ側にスライドさせると、色変換部材２０５ａを収納枠２１２ａ内に収納することができ、レバー２０８ｂを収納枠２１２ｂ側にスライドさせると、色変換部材２０５ｂを収納枠２１２ｂ内に収納することができる。
また、各レバー２０８ａ・ｂを逆側へスライドさせると、色変換部材２０５ａ・ｂで反射面２０７の出射口を覆うことができる。色変換部材２０５ａ・ｂのいずれか一方で反射面２０７の出射口を覆ってもよいし、色変換部材２０５ａ・ｂを重ねて反射面２０７の出射口を覆ってもよい。
【００３５】
これにより、発光素子２０１が発する光に対して、（１）色変換しない状態、（２）色変換部材２０５ａで色変換する状態、（３）色変換部材２０５ｂで色変換する状態、（４）色変換部材２０５ａと色変換部材２０５ｂとを重ねて色変換する状態を実現することができる。
【００３６】
＜応用例３＞
図１２は、実施の形態２（応用例３）における発光装置２００の短手方向の断面図である。
図１２に示すように、色変換部材２０５を反射面２０７の入射口と基板２０２との間に配置し、色変換部材２０５を発光素子２０１に近接させてもよい。
【００３７】
反射面２０７の入射口側と基板２０２との間には色変換部材２０５を挿入するための挿入溝２１７を設けている。
【００３８】
取付枠２１１には基板２０２を保持する保持板２１６を取り付け、収納枠２１２には発光装置２００の底部を構成する底板２１５を取り付けている。
保持板２１６と底板２１５との間には、色変換部材２０５を収納するための隙間を設けている。
【００３９】
レバー２０８をスライドさせると、色変換部材２０５は収納枠２１２内のガイドリブ２１４に沿って移動し、保持板２１６と底板２１５との隙間に収まる。
【００４０】
色変換部材２０５を発光素子２０１に近接させることにより、発光素子２０１から発した光が反射面２０７で反射して減衰する前に色変換部材２０５を透過するため、発光素子２０１の光を効率良く色変換させることができる。
【符号の説明】
【００４１】
１００  照明器具、１１０  器具本体、１２０  本体カバー、１３０  取付具、２００  発光装置、２０１  発光素子、２０２  基板、２０３  反射部、２０４  カバー、２０５，２０５ａ，２０５ｂ  色変換部材、２０６  カバー押えツメ部、２０７  反射面、２０８，２０８ａ，２０８ｂ  レバー、２０９  スライド溝、２１０  装置本体、２１１，２１１ａ，２１１ｂ  取付枠、２１２，２１２ａ，２１２ｂ  収納枠、２１３  補助枠、２１４  ガイドリブ、２１５  底板、２１６  保持板、２１７  挿入溝。
【図１】
2012049396.tif 000003
【図２】
2012049396.tif 000004
【図３】
2012049396.tif 000005
【図４】
2012049396.tif 000006
【図５】
2012049396.tif 000007
【図６】
2012049396.tif 000008
【図７】
2012049396.tif 000009
【図８】
2012049396.tif 000010
【図９】
2012049396.tif 000011
【図１０】
2012049396.tif 000012
【図１１】
2012049396.tif 000013
【図１２】
2012049396.tif 000014